(57)【要約】【課題】歪みのある骨を軟骨も含めて時間をかけて正常な位置にもどすことにより、簡単には歪まない健全な骨格構造とすることができる整体用器具を提供する。【解決手段】床面上に立てられるフレーム１へ左右方向に沿ってほぼ水平又は水平に近い状態にホルダ７を設けるとともに、当該ホルダ７へその両端部から突出する状態で往復スライド可能にスライドバー８を保持させ、当該スライドバー８の一端部に押圧子３を設け、前記スライドバー８に止めたロープ９をプーリ９２を介して垂れ下げ、当該ロープ９を引っ張るウエイト４により前記押圧子３をからだの所要の箇所に押し当てる整体用器具であって、前記ホルダ７は、前記フレーム１へほぼ垂直に設置された少なくとも一対のガイドポスト６ａ，６ａにスライド可能に取り付けられ、当該ホルダ７を少なくとも一方のガイドポスト６ａに止めるロック手段７１を備えた。【選択図】図１
2010029708.tif 000002
【特許請求の範囲】
【請求項１】
床面上に立てられるフレーム（１）へ左右方向に沿ってほぼ水平又は水平に近い状態にホルダ（７）を設けるとともに、当該ホルダ（７）へその両端部から突出する状態で往復スライド可能にスライドバー（８）を保持させ、当該スライドバー（８）の一端部に押圧子（３）を設け、前記スライドバー（８）に止めたロープ（９）をプーリ（９２）を介して垂れ下げ、当該ロープ（９）を引っ張るウエイト（４）により前記押圧子（３）をからだの所要の箇所に押し当てる整体用器具であって、前記ホルダ（７）は、前記フレーム（１）へほぼ垂直に設置された少なくとも一対のガイドポスト（６ａ，６ａ）にスライド可能に取り付けられ、当該ホルダ（７）を少なくとも一方のガイドポスト（６ａ）に止めるロック手段（７１）を備えている整体用器具。
【請求項２】
前記ホルダ（７）は前記ガイドポスト（６ａ，６ａ）がルーズに貫通する収容ケース（７０）を有し、前記ロック手段（７１）は、前記収容ケース（７０）に設置された梃子状板（７２）と当該梃子状板（７２）を作動させるカム（７３）とから構成され、前記梃子状板（７２）は、一方のガイドポスト（６ａ）がルーズに挿通される貫通孔（７２ａ）を有し、一端部を中心として前記一方のガイドポスト（６ａ）が前記貫通孔（７２ａ）に対してルーズなロック解除状態から当該ガイドポスト（６ａ）が前記貫通孔（７２ａ）内にロックされるロック状態まで傾斜する範囲を揺動可能であって、常時自由状態に復帰する方向へばね付勢されており、前記カム（７３）は、前記収容ケース（７０）外に突出した軸（７３ａ）の端部の操作片（７３ｂ）を操作して所定角度正逆に回転させることにより、前記梃子状板（７２）を前記揺動範囲内で揺動させる請求項１に記載の整体用器具。
【発明の詳細な説明】
【技術分野】
【０００１】
本発明は、ヒトの骨の歪みを矯正する整体用器具に関するものである。
【背景技術】
【０００２】
大きくなった脳を支えるため二足歩行をするようになったヒトのからだは、衝撃を受けると骨折などを防ぐために脳を支点として全体でバランスをとる（衝撃を吸収する）ようになっており、そのため背骨だけでなく全身の骨に歪みが生じ易い。
したがって、歪みそのものは衝撃に対する骨格の健全な反応であるが、歪みが残るとその箇所に応じた痛みや疾病の原因となるので、それらの痛みや疾病を治癒させるためには、その原因となっている骨の歪みを正常に戻すように矯正すること（整体）が必要とされる。
【０００３】
従来の整体術ないし整体器具では、背骨や間接などの引き伸ばしが行われており、その場合には急激に所定の力を加える（骨が正常に復する際に例えば「ボキッ」というような音を発する）ことが多い。
しかしながら、骨の歪み部分に急激な力を加えると骨は一旦正常状態にもどるけれども、骨と骨の間にある軟骨は矯正され難いため骨の矯正状態が持続しない。整体では軟骨の矯正が重要である（骨が歪むと軟骨も歪み、歪んだ軟骨が神経を圧迫して痛みを生じ器官の働きを悪くする。）との発明者らの知見によれば、整体用器具はある程度の時間をかけて徐々に（じんわりと）、無理のないように、軟骨も含めて骨を正常な位置にもどすように力を作用させるのが好ましい。
【０００４】
前述のように時間をかけて理想的な状態で背骨を矯正するものとして、仰臥状態又は椅子に座した状態において、表面を背中と腰に適合する立体曲面に形成したプラスチックの硬質板からなり、体重によって脊椎を矯正するようにした整体型が提案されている（後記特許文献１を参照）。しかし、この整体型は背中全体に面で力を加えるために矯正され難いとともに、やはり軟骨が矯正されない難点がある。
【先行技術文献】
【特許文献】
【０００５】
【特許文献１】特開２０００−１１６６８４号公報
【特許文献２】特開平９−１０２４７号公報
【特許文献３】特開２００２−８５４９５号公報
【発明の概要】
【発明が解決しようとする課題】
【０００６】
本発明の解決課題は、歪みのある骨を軟骨も含めて時間をかけて正常な位置にもどすことにより、簡単には歪まない健全な骨格構造とすることができる整体用器具を提供することである。
【課題を解決するための手段】
【０００７】
本発明に係る整体用器具は第１に、床面上に立てられるフレーム１へ左右方向に沿ってほぼ水平又は水平に近い状態にホルダ７を設けるとともに、当該ホルダ７へその両端部から突出する状態で往復スライド可能にスライドバー８を保持させ、当該スライドバー８の一端部に押圧子３を設け、前記スライドバー８に止めたロープ９をプーリ９２を介して垂れ下げ、当該ロープ９を引っ張るウエイト４により前記押圧子３をからだの所要の箇所に押し当てる整体用器具であって、前記ホルダ７は、前記フレーム１へほぼ垂直に設置された少なくとも一対のガイドポスト６ａ，６ａにスライド可能に取り付けられ、当該ホルダ７を少なくとも一方のガイドポスト６ａに止めるロック手段７１を備えていることを特徴としている。
【０００８】
第２に、前記ホルダ７は前記ガイドポスト６ａ，６ａがルーズに貫通する収容ケース７０を有し、前記ロック手段７１は、前記収容ケース７０に設置された梃子状板７２と当該梃子状板７２を作動させるカム７３とから構成され、前記梃子状板７２は、一方のガイドポスト６ａがルーズに挿通される貫通孔７２ａを有し、一端部を中心として前記一方のガイドポスト６ａが前記貫通孔７２ａに対してルーズなロック解除状態から当該ガイドポスト６ａが前記貫通孔７２ａ内にロックされるロック状態まで傾斜する範囲を揺動可能であって、常時自由状態に復帰する方向へばね付勢されており、前記カム７３は、前記収容ケース７０外に突出した軸７３ａの端部の操作片７３ｂを操作して所定角度正逆に回転させることにより、前記梃子状板７２を前記揺動範囲内で揺動させることを特徴としている。
【発明の効果】
【０００９】
本発明に係る整体用器具によれば、矯正を行う骨の位置に応じて整体を受ける人をベッド上にうつ伏せ状態又は仰臥状態とし、その状態で骨がからだの表面側に歪んでいるか斜めに歪んでいる部分に前記押圧子を押し当て、この状態を所定時間（例えば２０分）持続する。所定時間経過後骨の歪みがもどっていれば別の歪みのある部分に移る。前記所定時間が経過する前に痛みを感じたときは、歪みが既に矯正されているので別の歪みがある部分に移る。このようにして軟骨を含む（但し、骨相互の間に軟骨がある場合）骨の歪みを徐々に正常な状態にもどすことにより、簡単には歪まない（歪みがもどりにくい）健全な骨格構造とすることができる。この整体用器具は、股関節，仙骨，腰椎，胸椎，助骨，頚椎，後頭骨の歪みを矯正するのに適する。
ウエイトは整体を受ける人に合わせて選択することができる。
【００１０】
本発明に係る整体用器具によれば、股関節，仙骨，腰椎，胸椎，助骨，頚椎，頭蓋骨、顎間接がからだの横方向にずれている場合に適するもので、整体を受ける人をベッド上にうつ伏せ状態又は仰臥状態とし、からだの横方向から骨が歪んでいる部分に前記押圧子を押し当て、第１の整体用器具と同様な要領で矯正を行う。このようにして軟骨（但し、軟骨がある場合）を含む骨の当該部分が徐々に正常な状態にもどすことにより、簡単には歪まない健全な骨格構造とすることができる。
また、ウエイトは整体を受ける人に合わせて選択することができる。
【図面の簡単な説明】
【００１１】
【図１】本発明に係る整体用器具の第１実施形態を示す一部省略斜視図である。
【図２】図１の矢印Ａ方向から見た支持部材とその周辺部分の部分拡大縦断面図（支持部材のロック解除状態）である。
【図３】図２と同様な図で支持部材がロック状態である部分拡大縦断面図である。
【図４】図３の矢印Ｂ−Ｂに沿う断面図である。
【図５】本発明に係る整体用器具の第２実施形態を示す正面図である。
【図６】第２実施形態におけるホルダのロック部の部分拡大断面図である。
【図７】第２実施形態におけるホルダ設置部の部分拡大縦断面図である。
【図８】押圧子の変形形態を示す正面図である。
【発明を実施するための形態】
【００１２】
第１実施形態
図１は整体用器具の第１実施形態を示す一部省略斜視図、図２は図１の矢印Ａ方向から見た支持部材とその周辺部分の部分拡大縦断面図（支持部材のロック解除状態）、図３は図２と同様な図で支持部材がロック状態である部分拡大縦断面図、図４は図３の矢印Ｂ−Ｂに沿う断面図である。
【００１３】
１は床上に垂直に立てられるフレームであり、同じ間隔で垂直に配置されたアルミ合金製の角パイプからなる対の支柱１０，１０と、他の同様な材質及び構造の対の支柱１１，１１とを、アルミ合金製の角パイプからなる複数の連結バー１２で溶接により連結して構成している。各連結バー１２は各対の支柱１０相互及び支柱１１相互のスぺーサを兼ねている。各支柱１０，１１及び各連結バー１２の両端部は、アルミ合金製のブロックにより封止されている。
フレーム１の下部には、両側部に突出した状態で下方に曲げられた脚１３，１３及び１４，１４が取り付けられている。各脚１３と１４は、アルミ合金製の二本のパイプを左右対称に曲げ加工したもので、脚１４相互の下端はプレートで連結され、水平部相互を連結する連結板（図示しない）の上にフレーム１が載せられた状態で複数のねじにより取り付けられている。図１の左側の脚１３，１３の上部は水平方向へ末広がり状に曲げられており、当該各脚１３，１３の下端部にはキャスタ１３ａがそれぞれ取り付けられ、フレーム１は、左側へ倒して脚１４，１４を床面から浮かせた状態で簡単に移動させることができるように構成されている。
【００１４】
フレーム１には、一方の側部の支柱１１，１１の間から端部が側方へ突出した状態にスイング可能なアーム２を設置し、当該アーム２の先端又は先端部近傍には押圧子３を取り付け、アーム２をその先端部に取り付けたウエイト受け４０上に載せたウエイト４により押し下げ、前記押圧子３をからだの所要の箇所に押し当てるように構成している。なお、ウエイト４はアーム2へ吊り下げるか、あるいはアーム2の下面に取り付けて使用することもできる。
押圧子３は、円板状（又はボール状）であって下向きの取付ピン３０を介してアーム２へ交換可能に取り付けられている。押圧子３は、骨の歪み部分へ押し当てられるので円板である場合は取付ピン３０の下端へ水平方向に回転できるように取り付けるのが好ましい。
【００１５】
この実施形態において、アーム２は両端部が支柱１０相互の間及び支柱１１相互の間から所定長さ突出し、フレーム１の支柱１１，１１側に取り付けられた支持部材５によりシーソー状に支持されている。
一方の支柱１１，１１の他方の支柱１０，１０との対向面側には、上下方向に所定の間隔を置いて取付板６０，６１が取り付けられ、各取付板６０，６１には互いに平行でアーム２の両側に離れて位置するように一対のガイドポスト６，６が垂直に取り付けられている。前記支持部材５は、ガイドポスト６，６へスライド可能に取り付けられており、当該支持部材５を一方のガイドポスト６へ止めるロック手段５１（図２〜図４）を備えている。
図２〜図４で示すように、アーム２の長さ方向の中央部分の所定長さ範囲には、下面に当該アーム２の幅よりも狭い幅のラック状プレート２０が取り付けられている。他方、支持部材５は上部にアーム２の下面のラック状プレート２０の任意の凹部２１へ係合される（図４）爪片５２を有している。したがってアーム２は、前記爪片５２がラック状プレート２０のいずれかの凹部２１へ係合された図３及び図４の状態で、当該爪片５２へシーソー状に支持される。
【００１６】
支持部材５は、垂直方向にスライドできるように両端部にガイドポスト６，６がルーズに貫通する角筒状の収容ケース５０を有しており、梃子状板５３と当該梃子状板５３を作動させるカム５４とからなるロック手段５１は、収容ケース５０の内部に取り付けられている。カム５４の軸５４ａの一端部は収容ケース５０から突出しており、当該端部にはノブからなる操作片５４ｂが取り付けられている。
収容ケース５０内の片端部には、当該収容ケース５０のスライドを円滑にするとともに梃子状板５３を安定させる調整ブロック５５が、収容ケース５０の内底部から所定量浮上する状態に取り付けられており、一方のガイドポスト６は調整ブロック５５をルーズに貫通している。
【００１７】
図２〜図４で示すように、収容ケース５０の上には、アーム２が外れない状態で長さ方向へ可動に案内されるガイド孔５６ａを有するガイド枠５６が、収容ケース５０を下方よりルーズに貫通した二つのボルト５７，５７ａによって取り付けられ、さらに前記爪片５２がガイド枠５６に沿って直立するように取り付けられている。
ガイド枠５６の基部と収容ケース５０に形成された垂直方向のガイド孔には、上端部がアーム２の方向に突き出す昇降可能な押上げ片５８が設置されており、この押上げ片５８はカム５４の回転により昇降する。
図２及び図３で示すように、梃子状板５３の一端部には一方のガイドポスト６がルーズに挿通すされる貫通孔５３ａが形成されている。この梃子状板５３はカム５４の回転により、調整ブロック５５の下面に接触している一端を中心として、一方のガイドポスト６が貫通孔５３ａに対してルーズなロック解除状態（図２）から、当該ガイドポスト６が貫通孔５３ａ内に締め付けられるロック状態（図３）になるまでの範囲を揺動する。
【００１８】
梃子状板５３は、一方のボルト５７の基部に装着されたばね５３ｂにより、ロック解除状態となる方向へ常時付勢されており、図２の状態からカム５４を時計方向に１９０度程度回転させると、図３の状態に揺動してケース５０を含む支持部材５は一方のガイドポスト６にロックされる。同時に、カム５４により上昇していた押上げ片５８が下降するとともに、当該押上げ片５８の両端部５８ａにより押し上げられていたアーム２が下降し、当該アーム２は、その下面に取り付けられているラック状プレート２０のいずれかの凹部２１に爪片５２の上端が係合するので、当該爪片５２によりシーソー状に支持される。
【００１９】
アーム２のレベルを再度調整するときは、アーム２又は収容ケース５０を掴んで図３の状態からカム５４を反時計方向へ１９０度程度回転させ、図２のように一方のガイドポスト６に対する梃子状板５３の締め付けをなくし、収容ケース５０を含む支持部材５の当該ガイドポスト６に対するロックを解除する。このとき、カム５４の回転により押上げ片５８が上昇し、アーム２はその両端部５８ａにより押し上げられるので支持部材５の爪片５２から離れて浮上する。
【００２０】
支柱１０，１０の間でアーム２がシーソー状にスイングし、その際アーム２の両側面と支柱１０，１０の対向面とは摩擦するので、両者の磨耗を防止するため支柱１０，１０の対向面にはプラスチックからなる低摩擦性シート１０ａがそれぞれ接着してある。
【００２１】
第１実施形態の整体用器具は、整体を受ける人に例えば脊柱の骨（頚椎、胸椎、腰椎、仙骨等）に後方への又は斜めの歪みが認められる場合に、その人をベッドの上にうつ伏せにさせ、押圧子３が背骨の上方に位置する状態にフレーム１を移動させる。ガイドポスト６に対する支持部材５のロックを解除し、アーム２のレベルを調整して支持部材５をガイドポスト６にロックする。アーム２の突出長さが適当でないときは、アーム２を持上げてその突出長さを調整する。
この状態でその人の体に合わせて適切な重量のウエイト４を選び、押圧子３を歪みのある骨の上に接触させ、前記ウエイト４をアーム２の上にセットして押圧子３を患部に所定時間押し当てて骨の歪みを矯正する。矯正は一気にではなく無理のないように徐々に時間をかけて行われるため、軟骨が安定して骨は正常な状態にもどり、簡単には歪まない健全な骨格構造となる。
【００２２】
アーム２のレベルの調整のためのガイドポスト６に対する支持部材５のロック解除やロック、及び当該支持部材５の爪片５２によるアーム２の支点支持は、カム５４の回転により極めて簡単に行うことができる。
アーム２の突出長さの調整も極めて簡単である。
【００２３】
第２実施形態
図５は本発明に係る整体用器具の第２実施形態を示す正面図、図６は第２実施形態におけるホルダのロック部の部分拡大断面図、図７は第２実施形態におけるホルダ設置部の部分拡大縦断面図である。
【００２４】
この実施形態の整体用器具において、第１実施形態の整体用器具と同じ構成部分には同じ符号を付してその説明を省略することとする。
二本の金属パイプを一体に曲げ加工した脚１３，１４は、図５のように各水平部が連結プレート１５によって連結され、連結プレート１５の下には角筒状のホルダ１６が図示しないねじにより取り付けられ、連結プレート１５の上にはフレーム１の各支柱１０，１１の下端部がねじにより固定されている。
前記ホルダ１６には、セット用バー１７が左右方向へスライド可能に挿通されている。図示しないベッドの左側にフレーム１を直立させたとき、セット用バー１７を止めねじ１６ａによりホルダ１６にロックし、当該セット用バー１７の右端部の凸部１７ａをベッドフレームに引っ掛けて、フレーム１を図の左方向へ動かないようにセットするように構成してある。
【００２５】
各対の支柱１０，１１相互を連結する連結バー１２，１２の両端部分は、各支柱１０相互及び支柱１１相互の間のスペーサを兼ねており、連結バー１２，１２の支柱１０，１１間に位置する部分は、外側の側面が各支柱１０及び１１の外側面と同一面を形成するように幅広くなっている。
フレーム１には、両端部が支柱１０相互の間及び各支柱１１相互の間に位置するように角筒状のホルダ７がほぼ水平に設けられており、ホルダ７には両端部から大きく突出する角パイプ状のスライドバー８が往復スライドするように保持されている。スライドバー８の一端部には押圧子３を取り付け、スライドバー８の他端方向寄り位置の下部に止められたロープ（例えばワイヤロープ）９を、ホルダ７の中央部下面に取り付けたプーリ９２を介して垂れ下げ、このロープ９を下方に引っ張るウエイト４により、押圧子３をからだの所要の箇所に押し当てるように構成されている。
押圧子３は、取付ピン３０を介してスライドバー８の先端部へ取換え可能に取り付けられているほか、第１実施形態の場合とほぼ同様に構成されている。
【００２６】
ホルダ７はフレーム１の各支柱１０，１１に固定することができるが、この実施形態では、スライドバー８及びホルダ７のレベルを調整できるようするため以下のように構成している。
上下の角筒状の連結バー１２，１２には、中央部からほぼ等距離の間隔で位置するように一対のガイドポスト６ａ，６ａが垂直に取り付けられており、ガイドポスト６ａ，６ａには、収容ケース７０を介してホルダ７がスライドするように取り付けられている。
収容ケース７０は、ホルダ７の正面側の中央部にボルト７６，７７で取り付けられており、この収容ケース７０にはガイドポスト６ａ，６ａがスライドできるようにルーズに貫通している。収容ケース７０内の両端寄り位置には、図６で示すように調整ブロック７４，７５がそれぞれボルト７６，７８、７７、７９により上壁方向に浮上した状態で取り付けられ、各ブロック７４，７５にもそれぞれのガイドポスト６ａ，６ａがルーズに貫通している。
【００２７】
図６で示すように、収容ケース７０内には、当該収容ケース７０を含むホルダ７を一方のガイドポスト６ａにロックするロック手段７１が設置されている。ロック手段７１は、梃子状板７２と当該梃子状板７２を作動させるカム７３とから構成されている。
梃子状板７２の一端寄り位置には一方のガイドポスト６ａがルーズに挿通すされる貫通孔７２ａが形成されている。この梃子状板７２はカム７３の回転により、一方のブロック７５の下面に接触している一端を中心として、一方のガイドポスト６ａが貫通孔７２ａに対してルーズなロック解除状態（ほぼ水平な状態）から、当該ガイドポスト６ａが貫通孔７２ａ内に締め付けられるロック状態（図６）になるまでの範囲を揺動する。
カム７３の軸７３ａは一端がケース７０の正面側に突出しており、当該一端にはノブ状の操作片７３ｂ（図５）が取り付けられている。
【００２８】
梃子状板７２は、ボルト７９の下端部に装着されたばね７２ｂによりロック解除状態となる方向へ常時付勢されており、水平な状態から図６の二点鎖線で示すカム７３を時計方向に１９０度程度回転させると、図６の状態に揺動してケース７０を含むホルダ７は一方のガイドポスト６ａへロックされる。
スライドバー８のレベルを再度調整するときは、ホルダ７又は収容ケース７０を掴んで図６の実線の状態からカム７３を反時計方向へ１９０度程度回転させ、一方のガイドポスト６ａに対する梃子状板７２の締め付けをなくし、収容ケース７０を含むホルダ７の当該ガイドポスト６ａに対するロックを解除する。
【００２９】
図７で示すように、ホルダ７に対するスライドバー８の摩擦抵抗を小さくしてスライドバー８を円滑にスライドさせるため、ホルダ７内の両端部上下にはそれぞれスライドバー８に接触するローラ７ａを取り付けている。
ロープ９の一端部はロープチャック（例えばテーパーチャック）９０に保持され、ロープチャック９０をスライドバー８に沿ってスライドするスライダ９１に固定し、スライダ９１を止めピン９３によりスライドバー８へ形成されたいずれかの止め孔８０へ止めることにより、ロープ９をスライドバー８に止めるように構成している。
ロープ９の他端部分は、ホルダ７の下面中央に取り付けたプーリ９２を介して垂れ下げ、その下端部にウエイトホルダ４１を取り付け、ウエイトホルダ４１に適当な重量のウエイト４を載せてスライドバー８を右方向に押し出す。
【００３０】
第２実施形態の整体用器具は、整体を受ける人に例えば顎関節に表面側に突出するような歪みが認められる場合には、その人をベッドの上にうつ伏せ状態又は仰臥状態とし、押圧子３が歪みのある骨の方向に向くように、セット用バー１７の突出長さを調整して当該バー１７によりフレーム１をベッドサイドにセットする。ガイドポスト６ａに対するホルダ７のロックを解除し、スライドバー８のレベルを調整してホルダ７をガイドポスト６ａにロックする。このとき必要ならば、スライダ９１の位置を調整しするとともに、ロープチャック９０によるロープ９のチャック位置を調整して、スライドバー８の必要な突出長さを確保する。
この状態でその人の体に合った適切な重量のウエイト４を選び、押圧子３を歪みのある骨の部分に接触させ、前記ウエイト４をウエイトホルダ４１にセットして押圧子３を患部に所定時間押し当てて骨の歪みを矯正する。矯正は無理のないように徐々に時間をかけて行われるため、軟骨が安定して骨は正常な状態にもどり、簡単には歪まない健全な骨格構造となる。
【００３１】
スライドバー８のレベルの調整のためのガイドポスト６ａに対するホルダ７のロック解除やロックは、カム７３の回転により極めて簡単に行うことができる。
スライドバー８の突出長さの調整も極めて簡単である。
【００３２】
その他の実施形態
図５の整体用器具においては、スライドバー８左端方向への突出長さを十分に確保し、スライドバー８の左端部に二点鎖線で示すような押圧子３を取り付け、スライドバー８を右方向に引っ張るようにしてからだに押圧子３を押し当てることもできる。
また、各実施形態において、押圧子３は図８のような形態に構成することができる。
【符号の説明】
【００３３】
１  フレーム
１０，１１  支柱
１２，１５  連結バー
１３，１４  脚
２  アーム
２０  ラック状プレート
２１  凹部
３  押圧子
４  ウエイト
５  支持部材
５０，７０  収容ケース
５１，７１  ロック手段
５２  爪片
５３，７２  梃子状板
５３ａ，７２ａ  貫通孔
５３ｂ，７２ｂ  ばね
５４，７３  カム
５４ａ，７３ａ  軸
６，６ａ  ガイドポスト
７  ホルダ
８スライドバー
９  ロープ
９０  ロープチャック
【図１】
2010029708.tif 000003
【図２】
2010029708.tif 000004
【図３】
2010029708.tif 000005
【図４】
2010029708.tif 000006
【図５】
2010029708.tif 000007
【図６】
2010029708.tif 000008
【図７】
2010029708.tif 000009
【図８】
2010029708.tif 000010